(57)【要約】【課題】マイクロコンピュータに接続される複数の電子機器を識別する為のＩＤ情報を、前記電子機器毎に異なるアナログ電圧値として設定するＩＤ情報設定回路を提供する。【解決手段】マイクロコンピュータに与えるＩＤ情報を所定の電圧を分圧してアナログ電圧値として設定する分圧回路と、この分圧回路の分圧比を可変設定するＩＤ情報選択手段とを備える。前記分圧回路は、所定の電圧が印加される第１の抵抗素子と、この第１の抵抗素子に直列に接続される第２の抵抗素子からなり、前記ＩＤ情報選択手段は、複数の第２の抵抗素子を前記第１の抵抗素子に選択的に直列接続するスイッチ回路、または前記第１の抵抗素子に直列接続された可変抵抗器からなる。【選択図】      図1
2015127909.tif 000002
【特許請求の範囲】
【請求項１】
マイクロコンピュータに接続される複数の電子機器にそれぞれ設けられて該電子機器毎に異なるＩＤ情報を設定する為のＩＤ情報設定回路であって、
前記マイクロコンピュータに与えるＩＤ情報を所定の電圧を分圧したアナログ電圧値として設定する分圧回路と、
この分圧回路の分圧比を可変設定するＩＤ情報選択手段と
を具備したことを特徴とするＩＤ情報設定回路。
【請求項２】
前記マイクロコンピュータは、前記アナログ電圧値をＡ／Ｄ変換ポートに入力して前記ＩＤ情報を識別することを特徴とする請求項１に記載のＩＤ情報設定回路。
【請求項３】
前記ＩＤ情報選択手段は、分圧比の異なる複数の分圧回路を択一的に選択するスイッチ回路からなる請求項１に記載のＩＤ情報設定回路。
【請求項４】
前記分圧回路は、前記所定の電圧が印加される第１の抵抗素子と、この第１の抵抗素子に選択的に直列接続されて分圧比の異なる複数のアナログ電圧値を設定する複数の第２の抵抗素子とからなり、
前記ＩＤ情報選択手段は、前記第１の抵抗素子に対して前記第２の抵抗素子を選択的に接続して前記アナログ電圧値を択一的に設定するスイッチ回路からなる請求項１に記載のＩＤ情報設定回路。
【請求項５】
前記分圧回路は、前記所定の電圧が印加される第１の抵抗素子と、この第１の抵抗素子に直列接続されてアナログ電圧値を設定する可変抵抗器とからなり、
前記ＩＤ情報選択手段は、前記可変抵抗器の摺動片に選択的な摺動抵抗を与えて該可変抵抗器を予め定めた複数の抵抗値に択一的に設定可能なロック機構からなる請求項１に記載のＩＤ情報設定回路。
【請求項６】
前記分圧回路は、前記所定の電圧が印加される第１の抵抗素子と、この第１の抵抗素子に直列接続されてアナログ電圧値を設定する可変抵抗器とからなり、
前記ＩＤ情報選択手段は、前記マイクロコンピュータがＩＤ情報を識別したときに該マイクロコンピュータから出力されるＩＤ情報識別信号を受けて点灯駆動される表示器からなる請求項１に記載のＩＤ情報設定回路。
【請求項７】
前記マイクロコンピュータは、前記アナログ電圧値が予め定めた複数の所定の電圧範囲に含まれるときにＩＤ情報を識別してＩＤ情報識別信号を出力するものである請求項６に記載のＩＤ情報設定回路。
【発明の詳細な説明】
【技術分野】
【０００１】
本発明は、複数の電子機器を識別する為のＩＤ情報を前記電子機器毎に異なるアナログ電圧値として設定してマイクロコンピュータのＡ／Ｄ変換ポートに与えるＩＤ情報設定回路に関する。
【背景技術】
【０００２】
マイクロコンピュータに複数の電子機器を接続して構築されるデータ収集システムにおいては、専ら、前記電子機器毎に異なるＩＤ情報が設定される。そして前記マイクロコンピュータでは前記ＩＤ情報から前記複数の電子機器を識別してデータ収集するように構成される（例えば特許文献１を参照）。ちなみに前記ＩＤ情報は、例えば前記マイクロコンピュータのソフトウェアを利用して外部機器から前記各電子機器が備える内蔵メモリにＩＤ情報を書き込むことで設定される。或いは簡易的には、例えば前記電子機器にそれぞれ設けられたスイッチをオン・オフ操作することで電子機器毎に異なるＩＤ情報の設定が行われる。
【０００３】
図１０は、前記電子機器に設けられるＩＤ情報設定回路１の一例を示すもので、２ａ,２ｂ,２ｃ,２ｄは、一端に所定の電源電圧Ｖccが印加される抵抗素子である。また３ａ,３ｂ,３ｃ,３ｄは前記抵抗素子２ａ,２ｂ,２ｃ,２ｄの他端を選択的に接地するスイッチ素子である。これらのスイッチ素子３ａ,３ｂ,３ｃ,３ｄは、いわゆるロータリー・スイッチやディップ・スイッチからなる。これらのスイッチ素子３ａ,３ｂ,３ｃ,３ｄは、４ビットのＩＤ情報を設定するもので、前記抵抗素子２ａ,２ｂ,２ｃ,２ｄの他端のレベルをオン操作によりＬ（０）に設定し、オフ操作によりＨ（１）に設定する役割を担う。従ってこの例では、前記スイッチ素子３ａ,３ｂ,３ｃ,３ｄの選択的な操作により、［００００］〜[１１１１]からなる１６段階の異なるＩＤ情報が設定される。
【０００４】
このようにして複数の電子機器毎に設定されたＩＤ情報が前記マイクロコンピュータ４のＩ／Ｏポート５ａ,５ｂ,５ｃ,５ｄに並列的に入力され、該マイクロコンピュータ４にて識別される。
【先行技術文献】
【特許文献】
【０００５】
【特許文献１】特開２０１０−１９８５１１号公報
【発明の概要】
【発明が解決しようとする課題】
【０００６】
ところで前述したように外部機器を用いてＩＤ情報を設定する方法においては、内蔵メモリに設定されたＩＤ情報を電子機器毎に個別に確認することが困難である。ちなみにＩＤ情報を確認するには、例えば前記内蔵メモリの記録内容を確認する為の表示器が必要となる。この点、前記スイッチ素子３ａ,３ｂ,３ｃ,３ｄを用いる手法によれば、該スイッチ素子３ａ,３ｂ,３ｃ,３ｄの操作状態からＩＤ情報を容易に視認することができる。
【０００７】
一方、上述した如くして設定されるＩＤ情報をマイクロコンピュータに与える為には、前記マイクロコンピュータ４に前記ＩＤ情報のビット数に応じた複数のＩ／Ｏポート５ａ,５ｂ,５ｃ,５ｄを準備する必要がある。しかも前記マイクロコンピュータ４とのインターフェース配線数も増えることが否めない。更にはＩ／Ｏポート数の少ないマイクロコンピュータ４での使用が制限されると言う不具合もある。
【０００８】
本発明はこのような事情を考慮してなされたもので、その目的は、電子機器毎にＩＤ情報を視認可能に簡易に設定することができ、しかも前記電子機器に設定したＩＤ情報をＩ／Ｏポート数の制約を受けることなくマイクロコンピュータに確実に与えることのできるＩＤ情報設定回路を提供することにある。
【課題を解決するための手段】
【０００９】
上述した目的を達成するべく本発明に係るＩＤ情報設定回路は、マイクロコンピュータに接続される複数の電子機器にそれぞれ設けられるものであって、
前記マイクロコンピュータに与えるＩＤ情報を所定の電圧を分圧したアナログ電圧値として設定する分圧回路と、この分圧回路の分圧比を可変設定するＩＤ情報選択手段とを具備したことを特徴としている。
【００１０】
そして前記マイクロコンピュータにおいては、前記アナログ電圧値をＡ／Ｄ変換ポートに入力して前記ＩＤ情報を識別するようにしたことを特徴としている。
【００１１】
好ましくは前記ＩＤ情報選択手段は、例えば分圧比の異なる複数の分圧回路を択一的に選択するスイッチ回路からなる。
【００１２】
具体的には前記分圧回路は、例えば前記所定の電圧が印加される第１の抵抗素子と、この第１の抵抗素子に選択的に直列接続されて分圧比の異なる複数のアナログ電圧値を設定する複数の第２の抵抗素子とからなり、
前記ＩＤ情報選択手段は、前記第１の抵抗素子に対して前記第２の抵抗素子を選択的に接続して前記アナログ電圧値を択一的に設定するスイッチ回路として実現される。
【００１３】
或いは前記分圧回路は、例えば前記所定の電圧が印加される第１の抵抗素子と、この第１の抵抗素子に直列接続されてアナログ電圧値を設定する可変抵抗器とからなり、
前記ＩＤ情報選択手段は、前記可変抵抗器の摺動片に選択的な摺動抵抗を与えて該可変抵抗器を予め定めた複数の抵抗値に択一的に設定可能なロック機構として実現される。
【００１４】
また前記分圧回路を、例えば前記所定の電圧が印加される第１の抵抗素子と、この第１の抵抗素子に直列接続されてアナログ電圧値を設定する可変抵抗器として構成し、
前記ＩＤ情報選択手段を、前記マイクロコンピュータがＩＤ情報を識別したときに該マイクロコンピュータから出力されるＩＤ情報識別信号を受けて点灯駆動される表示器として実現するようにしても良い。
【００１５】
この場合、前記マイクロコンピュータにおいては、前記アナログ電圧値が予め定めた複数の所定の電圧範囲に含まれるときにＩＤ情報を識別してＩＤ情報識別信号を出力するように構成しておけば良い。
【発明の効果】
【００１６】
上記構成のＩＤ情報設定回路によれば、スイッチ回路の選択操作によって、或いは可変抵抗器の摺動操作により前記分圧回路の分圧比を選択的に設定するだけで、ＩＤ情報をアナログ電圧値としてマイクロコンピュータのＡ／Ｄ変換ポートに与えることができる。しかも電子機器に設定したＩＤ情報を前記スイッチ回路の操作状態や前記可変抵抗器の、例えば回転角として示される摺動片の設定位置から容易に視認することができる。この場合、前記可変抵抗器に摺動片の設定位置を示す目盛を付しておくことが望ましい。
【００１７】
また前記マイクロコンピュータが備えるＡ／Ｄ変換ポートを利用してＩＤ情報を与えるので、例えば１本のインターフェース配線を利用して前記マイクロコンピュータのＡ／Ｄ変換器の変換ビット数ｎに応じた２ｎ段階のＩＤ情報を設定することが可能である。従ってマイクロコンピュータを用いた小規模なデータ収集システム等に適用するのに好適である。
【図面の簡単な説明】
【００１８】
【図１】本発明の第１の実施形態に係るＩＤ情報設定回路の概略構成を示す図。
【図２】スイッチの選択操作に伴う分圧回路の抵抗値と分圧比の関係を示す図。
【図３】スイッチの選択操作によって設定されるアナログ電圧値の変化を示す図。
【図４】本発明の第２の実施形態に係るＩＤ情報設定回路の概略構成を示す図。
【図５】可変抵抗器の操作によって設定されるアナログ電圧に対するＡ／Ｄ変換値の変化を示す図。
【図６】本発明の第２の実施形態で用いられる可変抵抗器の構成例を示す図。
【図７】本発明の第３の実施形態を示すＩＤ情報設定回路の概略構成を示す図。
【図８】可変抵抗器を用いて設定されるアナログ電圧のＡ／Ｄ変換値の変化とＬＥＤの点灯範囲を示す図。
【図９】Ａ／Ｄ変換値に対するＬＥＤの点灯閾値を示す図。
【図１０】スイッチ素子を用いてＩＤ情報を設定する従来のＩＤ情報設定回路の構成例を示す図。
【発明を実施するための形態】
【００１９】
以下、図面を参照して本発明の実施形態に係るＩＤ情報設定回路について説明する。
【００２０】
図１は本発明の第１の実施形態に係るＩＤ情報設定回路１０の概略構成図である。このＩＤ情報設定回路１０は、電子機器毎に設定されるＩＤ情報をアナログ電圧値として生成してマイクロコンピュータ４のＡ／Ｄ変換ポート６に与えるように構成される。具体的には前記ＩＤ情報設定回路１０は、分圧回路１１と、この分圧回路１１の分圧比を選択設定することで該分圧回路１１により分圧されて出力されるアナログ電圧値を変更設定するＩＤ情報選択手段１２とを備える。
【００２１】
ちなみに前記ＩＤ情報選択手段１２は、例えば４つのスイッチ素子１３ａ,１３ｂ,１３ｃ,１３ｄを並列に備え、各スイッチ素子１３ａ,１３ｂ,１３ｃ,１３ｄをそれぞれ個別にオン・オフ可能なロータリー・スイッチやディップ・スイッチからなる。また前記分圧回路１１は、例えば一端に所定の電圧Ｖccが印加される第１の抵抗素子１４と、この第１の抵抗素子１４の他端に直列接続された複数の第２の抵抗素子１５ａ,１５ｂ,１５ｃ,１５ｄとからなる。前記スイッチ素子１３ａ,１３ｂ,１３ｃ,１３ｄは、前記第２の抵抗素子１５ａ,１５ｂ,１５ｃ,１５ｄの各他端を選択的に接地することで、該第２の抵抗素子１５ａ,１５ｂ,１５ｃ,１５ｄを前記第１の抵抗素子１４に直列接続する役割を担う。
【００２２】
ちなみに前記第１の抵抗素子１４の抵抗値Ｒ１は、例えば１０ｋΩとして設定されている。これに対して前記第２の抵抗素子１５ａ,１５ｂ,１５ｃ,１５ｄの各抵抗値Ｒ２,Ｒ３,Ｒ４,Ｒ５は互いに異なる値、例えば４.７ｋΩ,１０ｋΩ,２０ｋΩ,３９ｋΩとして設定されている。即ち、前記第２の抵抗素子１５ａ,１５ｂ,１５ｃ,１５ｄの各抵抗値Ｒ２,Ｒ３,Ｒ４,Ｒ５は、順に略２倍の抵抗値比の関係を有するものとして定められている。
【００２３】
前記スイッチ素子１３ａ,１３ｂ,１３ｃ,１３ｄは、その選択的なオン・オフ操作により前記第２の抵抗素子１５ａ,１５ｂ,１５ｃ,１５ｄを前記第１の抵抗素子１４に選択的に直列接続し、これによって前記分圧回路１１における前記電圧Ｖccの分圧比を可変設定する。この分圧比の可変設定により、前記分圧回路１１から出力されるアナログ電圧値が可変設定され、ＩＤ情報として前記マイクロコンピュータ４に与えられる。
【００２４】
ここで前記スイッチ素子１３ａ,１３ｂ,１３ｃ,１３ｄの選択的なオン・オフ操作によって設定される前記分圧回路１１の分圧比とアナログ電圧値について説明する。前記スイッチ素子１３ａ,１３ｂ,１３ｃ,１３ｄをバイナリ４ビットの値に応じて、例えば図２に示すように順にオン・オフ操作した場合、前記第１の抵抗素子１４に直列接続される第２の抵抗素子１５ａ,１５ｂ,１５ｃ,１５ｄの合成抵抗値は、無限大、３９ｋΩ,２０ｋΩ,１３.２２ｋΩ,…,２.５７ｋΩと変化する。
【００２５】
具体的にはスイッチ操作状態［１（１６進表示で０）］として示すように前記スイッチ素子１３ａ,１３ｂ,１３ｃ,１３ｄの全てがオフ（０）の場合、前記電圧Ｖccがそのままアナログ電圧値として出力される。またスイッチ操作状態［２（１６進表示で１）］として示すように前記スイッチ素子１３ｄだけがオン（１）の場合には、第１の抵抗素子１４と第２の抵抗素子１５ｄとにより分圧された前記電圧Ｖccの０.８０倍の電圧がアナログ電圧値として出力される。またスイッチ操作状態［３（１６進表示で２）］として示すように前記スイッチ素子１３ｃだけがオンの場合には、第１の抵抗素子１４と第２の抵抗素子１５ｃとにより分圧された前記電圧Ｖccの０.６７倍の電圧がアナログ電圧値として出力される。
【００２６】
更にスイッチ操作状態［４（１６進表示で３）］として示すように前記スイッチ素子１３ｃ,１３ｄの２つだけがオンの場合には、第１の抵抗素子１４と第２の抵抗素子１５ｃおよび第２の抵抗素子１５ｄの合成抵抗（１３.２２ｋΩ）とにより分圧された前記電圧Ｖccの０.５７倍の電圧がアナログ電圧値として出力される。
【００２７】
このような前記スイッチ素子１３ａ,１３ｂ,１３ｃ,１３ｄの選択的なオン・オフ操作に伴って前記分圧回路１１から出力されるアナログ電圧値の変化は、例えば図３に示す通りである。そしてスイッチ操作状態［１６（１６進表示でＦ）］として示すように前記スイッチ素子１３ａ,１３ｂ,１３ｃ,１３ｄの全てがオンの場合には、アナログ電圧値は前記電圧Ｖccの０.２０倍の最小電圧となる。
【００２８】
ここで前記マイクロコンピュータ４が内蔵する図示しないＡ／Ｄ変換器が１０ビットの分解能を有するものとすると、該Ａ／Ｄ変換器の有効ディジット数は０〜１０２４ディジットとなる。そして前述した如くＩＤ情報設定回路１０によって設定されるアナログ電圧値は、前記Ａ／Ｄ変換器における最大１０２４ディジットから最小で２１０ディジットの範囲で変化することになる。従って前記マイクロコンピュータ４において前記Ａ／Ｄ変換器のＡ／Ｄ変換値を識別することで前記ＩＤ情報設定回路１０から与えられるアナログ電圧値を、ひいては前記スイッチ素子１３ａ,１３ｂ,１３ｃ,１３ｄの設定状態をＩＤ情報として認識することが可能となる。
【００２９】
ところで前記第２の抵抗素子１５ａ,１５ｂ,１５ｃ,１５ｄの各抵抗値Ｒ２,Ｒ３,Ｒ４,Ｒ５を、例えば３９ｋΩ,２０ｋΩ,１０ｋΩ,４.７ｋΩとして設定した場合、１６進表示で０〜Ｆとして与えられる設定値に応じて前記スイッチ素子１３ａ,１３ｂ,１３ｃ,１３ｄを順にオン・オフ操作しても、その合成抵抗値は前記設定値の変化に対して単純に変化しない。従ってこのような場合には、例えば前述した第２の抵抗素子１５ａ,１５ｂ,１５ｃ,１５ｄの各抵抗値Ｒ２,Ｒ３,Ｒ４,Ｒ５に応じて前記スイッチ素子１３ａ,１３ｂ,１３ｃ,１３ｄのオン・オフ順序を変更する。具体的には前記スイッチ素子１３ａ,１３ｂ,１３ｃ,１３ｄをオン・オフ操作する順序を、例えば１６進表示で［０,８,４,Ｃ,２,Ａ,６,Ｅ,１,９,５,Ｄ,３,Ｂ,７,Ｆ］として設定すれば、図３に示すように前記アナログ電圧値を単調に変化させることが可能となる。
【００３０】
ここで前記アナログ電圧値が単調に変化するように前記スイッチ素子１３ａ,１３ｂ,１３ｃ,１３ｄのオン・オフ順序を工夫しても、該アナログ電圧値の変化がリニアとなることはない。ちなみにアナログ電圧値の変化がリニアであれば前記マイクロコンピュータ４における個々の設定値の識別が容易となる。しかし現実的には図１に示すＩＤ情報設定回路１０において前記スイッチ素子１３ａ,１３ｂ,１３ｃ,１３ｄの設定値に対してアナログ電圧値の変化をリニアにすることは困難である。
【００３１】
しかしながら前述したように前記スイッチ素子１３ａ,１３ｂ,１３ｃ,１３ｄに対する設定値と、これによって得られる前記アナログ電圧値とが１対１に対応しているので、前記マイクロコンピュータ４が内蔵するＡ／Ｄ変換器が、例えば１０ビットの分解能を有していれば、そのＡ／Ｄ変換値から前記スイッチ素子１３ａ,１３ｂ,１３ｃ,１３ｄの操作状態、つまりＩＤ情報を確実に認識することが可能であり、実用上、問題となることはない。しかも前記スイッチ素子１３ａ,１３ｂ,１３ｃ,１３ｄの操作状態から前記ＩＤ情報設定回路１０に設定したＩＤ情報を目視により容易に確認することが可能である。更にはＩＤ情報をアナログ電圧値としてマイクロコンピュータ４のＡ／Ｄ変換ポート６に与えるだけなので、そのインターフェース配線を１本と簡素化することができる等の効果が奏せられる。
【００３２】
図４は本発明の第２の実施形態に係るＩＤ情報設定回路２０の概略構成図である。このＩＤ情報設定回路２０は、前述したスイッチ素子１３ａ,１３ｂ,１３ｃ,１３ｄに代えて可変抵抗器２２を用いてＩＤ情報を設定するようにしたものである。即ち、ＩＤ情報設定回路２０は、一端に所定の電圧Ｖccが印加される第１の抵抗素子２１と、この第１の抵抗素子２１に直列接続されて接地された可変抵抗器２２とにより分圧回路２３を構成している。そして前記可変抵抗器２２の抵抗値を調整することで前記分圧回路２３の分圧比を可変設定し、これによって前記可変抵抗器２２の操作量、具体的には可変抵抗器２２の摺動子の回転角度に応じたアナログ電圧値をＩＤ情報として生成するように構成される。
【００３３】
具体的には前記第１の抵抗素子２１は１０ｋΩの固定抵抗であり、前記可変抵抗器２２は０〜１０ｋΩの範囲で抵抗値を可変設定可能な、いわゆるトリマ抵抗からなる。このＩＤ情報設定回路２０は、前記可変抵抗器２２の抵抗値を可変設定することで前記分圧回路２３が出力するアナログ電圧値を変化させ、このアナログ電圧値をＩＤ情報として前記マイクロコンピュータ４に出力する。ちなみに前記可変抵抗器２２の操作に伴う前記アナログ電圧値の変化、即ち、前記マイクロコンピュータ４におけるＡ／Ｄ変換値の変化は、例えば図５に示すように前記可変抵抗器２２に設定された抵抗値に対応したものとなる。
【００３４】
具体的には前記可変抵抗器２２を最小値である０Ωに設定した場合には、前記アナログ電圧値は０Ｖとなり、最大値である１０ｋΩに設定した場合には、前記第１の抵抗素子２１との間で前記電圧Ｖccを分圧した［Ｖcc／２］Ｖとなる。従って前記マイクロコンピュータ４が内蔵するＡ／Ｄ変換器が、例えば１０ビットの分解能を有していれば最大５１２ディジットから最小０ディジットの範囲で前記アナログ電圧値を認識することが可能である。そして前記可変抵抗器２２にて設定されるアナログ電圧値については、該可変抵抗器２２における摺動子の回転角度として示される操作量を視認することで容易に確認することが可能である。
【００３５】
ちなみに前記可変抵抗器２２は、例えば図６に示すように該可変抵抗器２２の摺動子２２ａを摺動操作する回転軸２４を該ＩＤ情報設定回路２０が組み込まれる電子機器のケース２５から突出させて設けられる。そして前記回転軸２４の先端部に装着された操作ノブ２６を回動させることにより、該操作ノブ２６の操作量である回転角に応じて前記可変抵抗器２２の抵抗値が操作設定されるように設けられる。
【００３６】
ここで前記電子機器のケース２５には、前記操作ノブ２６の回転角度を示す［１］〜［１０］の数値からなる複数の指標２７が付されている。これらの指標２７の１つに前記操作ノブ２６に付されたマーカー２６ａを選択的に合わせることで前記可変抵抗器２２の抵抗値が択一的に設定される。更に前記回転軸２４には、例えば該回転軸２４の回動操作位置を規定する為の突起２４ａが設けられている。また前記ケース２５には前記突起２４ａに嵌合して前記回転軸２４の回動操作位置を規定する為のストッパ機構としての複数の嵌合凹部２５ａが設けられている。
【００３７】
このようにして設けられる前記可変抵抗器２２は、前記分圧回路２３の分圧比を選択的に設定するＩＤ情報選択手段を構成する。そして前記突起２４ａと前記嵌合凹部２５ａとの嵌合により前記可変抵抗器２２の回転軸２４が所定のクリック感を伴って所定の回転角度ずつ回動される。そして前記指標２７により示される前記操作ノブ２６の操作位置、換言すれば前記回転軸２４の回動位置毎に前記可変抵抗器２２の抵抗値が予め定められた抵抗値に選択設定される。
【００３８】
このようにして前記電子機器に組み込まれた可変抵抗器２２によれば、前記操作ノブ２６のマーカー２６ａを前記複数の指標２７の１つに選択的に合わせるだけで前記ＩＤ情報設定回路２０に設定するアナログ電圧値を、当該ＩＤ情報設定回路２０のＩＤ情報として簡易に設定することができる。また前記操作ノブ２６のマーカー２６ａが合わせられた前記指標２７から、当該電子機器に設定されたＩＤ情報を容易に視認することができる。従って前述した第１の実施形態と同様な効果が奏せられる。更には第１の実施形態に比較して、複数の第２の抵抗素子１５ａ,１５ｂ,１５ｃ,１５ｄおよびスイッチ素子１３ａ,１３ｂ,１３ｃ,１３ｄを必要としない分、前記分圧回路２３およびＩＤ情報選択手段を簡易に構成することができると言う利点がある。
【００３９】
ところで前記電子機器にＩＤ情報の設定を確認する為の表示器、例えばＬＥＤ２８を設けて所定のアナログ電圧値の設定を確認し得るように構成することも可能である。図７は、このように構成した本発明の第３の実施形態に係る要部概略構成図であり、ＩＤ情報としてのアナログ電圧値を生成する分圧回路２３は、第２の実施形態と同様に第１の抵抗素子２１と可変抵抗器２２とにより構成される。
【００４０】
特にこの実施形態においては前記ＬＥＤ２８は、例えば前記操作ノブ２６の近傍に設けられる。そしてこのＩＤ情報設定回路３０は、前記マイクロコンピュータ４において所定のアナログ電圧値を検出したときに該マイクロコンピュータ４のＩ／Ｏポート７から出力されるＩＤ情報識別信号を利用して前記ＬＥＤ２８を点灯駆動するように構成される。尚、この第３の実施形態においては、前記可変抵抗器２２に対して前記操作ノブ２６の操作にクリック感を付与することは行われない。そして前記ＬＥＤ２８が点灯駆動されたとき、前記操作ノブ２６をその操作位置に止めることで前記アナログ電圧値の選択設定が行われる。
【００４１】
この場合、前記マイクロコンピュータ４においては、例えば図８に示すように前記アナログ電圧値が予め定められた電圧値を示すＡ／Ｄ変換値となったときに前記Ｉ／Ｏポート７を介して前記ＬＥＤ２８を点灯駆動する前記ＩＤ情報識別信号を出力するように構成される。具体的には、例えば図９に示すようにＩＤ情報の設定値に対する理論Ａ／Ｄ変換値に対して、前記アナログ電圧値を識別して求められるＡ／Ｄ変換値が所定のずれを見込んだ正常設定判定範囲に含まれるときに前記Ｉ／Ｏポート７を介して前記ＩＤ情報識別信号を出力するように構成される。
【００４２】
このように構成されたＩＤ情報設定回路３０によれば、前記指標２７に従って前記操作ノブ２６を回動操作し、前記ＬＥＤ２８が点灯したときに該操作ノブ２６の回動操作を停止することで、前記指標２７に示されるレベルのアナログ電圧値を容易に設定することが可能となる。即ち、この実施形態においては前記ＬＥＤ２８がＩＤ情報選択手段としての機能を担う。そして前記操作ノブ２６のマーカー２６ａが合わせられた前記指標２７から、上記アナログ電圧値に対応付けられたＩＤ情報を容易に視認することが可能となる。従って前述した第２の実施形態と同様な効果が奏せられる。
【００４３】
更には前記可変抵抗器２２を前記指標２７により示される位置まで操作した際、前記ＬＥＤ２８が点灯するか否かに応じて、前記マイクロコンピュータ４が明確に識別し得るアナログ電圧値が設定されたか否かを容易に視認することができる。換言すれば前記ＬＥＤ２８が点灯するように前記可変抵抗器２２を操作することで、所望とするアナログ電圧値からなるＩＤ情報を選択設定するに際して、前記可変抵抗器２２の抵抗値を容易に可変設定することが可能となる。故に複数のＩＤ情報を規定するアナログ電圧値を容易に、且つ精度良く設定することが可能となる等の効果が奏せられる。
【００４４】
尚、本発明は上述した実施形態に限定されるものではない。例えば第１の実施形態においては、４ビットの設定値に応じたアナログ電圧値をＩＤ情報として設定したが、設定値の数（ビット数）については仕様に応じて定めれば良い。また第２および第３の実施形態においては、ＩＤ情報としてのアナログ電圧値を１０段階のレベルとして設定したが、そのレベル数についても仕様に応じて定めれば十分である。
【００４５】
更に前記可変抵抗器２２の操作にクリック感を付与する手法についても種々変形可能であり、また回転型の可変抵抗器２２に代えて直線スライド型の可変抵抗器を用いることも勿論可能である。更には前記電子機器のケース２５にマーカーを設け、前記操作ノブ２６自体に複数の指標を設けるようにしても良い。またここではマイクロコンピュータ４に接続された複数の電子機器からそれぞれデータ収集するシステムを例に説明したが、複数の電子機器と前記マイクロコンピュータ４との間で情報通信するネットワークシステム等にも本発明を同様に適用可能である。その他、本発明はその要旨を逸脱しない範囲で種々変形して実施することができる。
【符号の説明】
【００４６】
４  マイクロコンピュータ
１０,２０,３０  ＩＤ情報設定回路
１１  分圧回路
１２  ＩＤ情報選択手段
１３ａ,１３ｂ,１３ｃ,１３ｄ  スイッチ素子
１４  第１の抵抗素子
１５ａ,１５ｂ,１５ｃ,１５ｄ  第２の抵抗素子
２１  抵抗素子
２２  可変抵抗器（ＩＤ情報選択手段）
２２ａ  摺動子
２３  分圧回路
２４  回転軸
２４ａ  突起
２５  ケース
２５ａ  嵌合凹部
２６  操作ノブ
２６ａ  マーカー
２７  指標
２８  ＬＥＤ（表示器；ＩＤ情報選択手段）
【図１】
2015127909.tif 000003
【図２】
2015127909.tif 000004
【図３】
2015127909.tif 000005
【図４】
2015127909.tif 000006
【図５】
2015127909.tif 000007
【図７】
2015127909.tif 000008
【図１０】
2015127909.tif 000009
【図６】
2015127909.tif 000010
【図８】
2015127909.tif 000011
【図９】
2015127909.tif 000012